(57)【要約】【課題】打球時のボ−ルとの摩擦係数がより一層上がり、打球の方向安定性の向上を図ることができるゴルフクラブのフェース板を提供する。【解決手段】ヘッド本体の打撃面に設けられてボールを直接に打撃する板体で、その正面に複数本の条溝を有するゴルフクラブヘッドのフェース板において、複数本の条溝内に、それぞれ条溝の底から上へと突出してなった突起部が該当の条溝に沿って複数形成されている。【選択図】図３
0003126901.tif 000002
【実用新案登録請求の範囲】
【請求項１】
ヘッド本体の打撃面に設けられてボールを直接に打撃する板体で、その正面に複数本の条溝を有するゴルフクラブヘッドのフェース板において、
前記複数本の条溝内に、それぞれ条溝の底から上へと突出してなった突起部が該当の条溝に沿って複数形成されていることを特徴とするゴルフクラブヘッドのフェース板。
【請求項２】
前記複数の突起部は、いずれも前記条溝外に突出していないことを特徴とする請求項１に記載のゴルフクラブヘッドのフェース板。
【請求項３】
前記各条溝の両周縁はいずれも、その横断面において条溝の開口を外へと段々拡張させる階段状になっていることを特徴とする請求項２に記載のゴルフクラブヘッドのフェース板。
【請求項４】
前記各条溝の深さはほぼ同一であり、各条溝の隣同士の間に、更に、複数本の、前記条溝と平行になり、且つそれらの深さがいずれも前記条溝の深さより浅い副条溝が形成されていることを特徴とする請求項２又は３に記載のゴルフクラブヘッドのフェース板。
【請求項５】
前記各条溝の幅はほぼ同一であり、前記各副条溝の幅は前記条溝の幅より小さくなっていることを特徴とする請求項４に記載のゴルフクラブヘッドのフェース板。
【請求項６】
前記各条溝内における複数の突起部は等間隔で並んでいることを特徴とする請求項１又は５に記載のゴルフクラブヘッドのフェース板。
【請求項７】
前記各条溝内における複数の突起部は互いに交錯する２列に並んでいることを特徴とする請求項６に記載のゴルフクラブヘッドのフェース板。
【請求項８】
前記各条溝内における複数の突起部はいずれも、その４端部が条溝の周縁と連結した十字架形になっていることを特徴とする請求項６に記載のゴルフクラブヘッドのフェース板。
【請求項９】
前記複数の突起部は、いずれも横断面が円形となったものであることを特徴とする請求項１に記載のゴルフクラブヘッドのフェース板。
【請求項１０】
前記複数の突起部は、いずれも横断面非円形のものであることを特徴とする請求項１に記載のゴルフクラブヘッドのフェース板。
【考案の詳細な説明】
【技術分野】
【０００１】
本考案は、ゴルフクラブヘッドのフェース板に関し、特に打球時のボ−ルとの摩擦係数が向上するゴルフクラブのフェース板に関する。
【背景技術】
【０００２】
従来のゴルフクラブヘッド１には、図１と図２に示すように、そのゴルフクラブヘッド本体１１の打撃面に設けられていてボールを直接に打撃するフェース板１２に、複数本の条溝１２１が形成されているものがある。このような条溝１２１により、打球時のボールとの摩擦係数が増大しボールに逆回転を与え転がりを制御することができるので、打球の方向安定性の向上を図ることができる。
【０００３】
しかし、実際にボールを打撃するとき、ボールと接触するフェース板１２における条溝１２１がただ数本だけなので、十分な摩擦が得られず、ボールの転がりを制御する効果がかなり限られる、という問題点がある。そのため、上記のような従来のゴルフヘッドのフェース板の摩擦係数をさらに向上させることが望まれている。
【考案の開示】
【考案が解決しようとする課題】
【０００４】
前記問題点に鑑みて、本考案は、打球時のボ−ルとの摩擦係数がより一層上がり、打球の方向安定性の向上を図ることができるゴルフクラブのフェース板を提供しようとすることをその目的とする。
【課題を解決するための手段】
【０００５】
上記目的を達成するために、本考案は、ヘッド本体の打撃面に設けられてボールを直接に打撃する板体で、その正面に複数本の条溝を有するゴルフクラブヘッドのフェース板において、前記複数本の条溝内に、それぞれ条溝の底から上へと突出してなった突起部が該当の条溝に沿って複数形成されていることを特徴とするゴルフクラブヘッドのフェース板を提供する。
【考案の効果】
【０００６】
前記構成のゴルフクラブヘッドのフェース板は、従来のフェース板における複数本の条溝内に、それぞれ複数の突起部が形成してあるので、打球時のボ−ルとの接触面積が大幅に増加し摩擦係数が一層向上するので、ボールに逆回転を与え転がりを制御し、打球の方向安定性の向上を図ることができる。
【考案を実施するための最良の形態】
【０００７】
以下、本考案の好適な実施例を図面を参照して説明する。なお、以下の説明には、類似した部材について同一の符号を付与することにする。
図３は本考案の実施例１のゴルフクラブヘッドのフェース板を示す斜視図であり、図４は図３に示したゴルフクラブヘッドのフェース板の断面図である。
【０００８】
本考案のゴルフクラブヘッドのフェース板２２は、図における一点鎖線をも参照するように、ヘッド本体２１の打撃面に設けられてボールを直接に打撃する板体２２１で、その正面に複数本の条溝２２２を有するものである。
【０００９】
図をもっと詳しくみると、複数本の条溝２２２内に、それぞれ条溝２２２の底から上へと条溝外に出ないように突出してなった突起部２２３が該当の条溝２２２に沿って複数形成されている。
【００１０】
本例においては、複数の突起部２２３は、いずれも横断面が円形となったもの（図５参照）であるが、場合により楕円形（図６参照）や長方形（図７参照）などの非円形になっても良い。
【００１１】
また、各条溝２２２内における複数の突起部２２３は等間隔で並んでいる上、一列になっている（図５〜図７及び図１０参照）が、２列（図８及び図９参照）ないし３列になっても良い。そして、２列に並ぶのを例として、互いに並列しても（図８参照）良く互いに交錯しても良い（図９参照）。なお、図１０に示すのは、一列になっているが、突起部２２３の４端部がいずれも、条溝２２２の周縁と連結した十字架形になっている。それに、場合により、間隔が異なる配列法も考えられる。
【００１２】
図１１は本考案の実施例２のゴルフクラブヘッドのフェース板２２を示す断面図である。図示のように、この例の、実施例１にかかるゴルフクラブヘッドのフェース板２２との相違点は、その各条溝２２２の両周縁がいずれも、その横断面において条溝２２２の開口を外へと段々拡張させる階段状になっていることのみにあり、他の構成はまったく同じである。
【００１３】
そして、図１２は本考案の実施例３のゴルフクラブヘッドのフェース板２２を示す断面図である。図示のように、この例の、実施例１にかかるゴルフクラブヘッドのフェース板２２との相違点は、その各条溝２２２の隣同士の間に、複数本の副条溝２２４が前記条溝２２２と平行になるように形成されていることのみにあり、他の構成はまったく同じである。
【００１４】
図１２をもっと詳しくみると、この例においては、各条溝２２２の深さも幅もほぼ同一であるが、各副条溝２２４の深さも幅も条溝２２２の深さ及び幅より小さくなっているが、その限りでなく、例えば場合により、各条溝２２２または各副条溝２２４の深さまたは幅が同一でなく、ないし副条溝２２４の深さが条溝２２２の深さより大きくなっても良い。
【００１５】
前記構成により、本考案のゴルフクラブヘッドのフェース板２２は、打球時のボ−ルとの接触面積が大幅に増加し摩擦係数が一層向上するので、ボールに逆回転を与え転がりを制御し、打球の方向安定性の向上を図ることができる。
【００１６】
以上、本考案の好適な実施形態について説明したが、本考案は前記実施形態に限定して狭義に解釈されるものではなく、即ち本考案の精神の範囲内において種々の変形や変更が可能である。
【産業上の利用可能性】
【００１７】
前記構成のゴルフクラブヘッドのフェース板は、打球時のボ−ルとの接触面積が大幅に増加し摩擦係数が一層向上するので、ボールに逆回転を与え転がりを制御することができ、初心者からベテランまでのゴルファーに、方向安定性の良いボールを打ち易くさせ、ゴルフをもっと楽しませることができる。
【図面の簡単な説明】
【００１８】
【図１】従来のゴルフクラブヘッドのフェース板を例示する斜視図。
【図２】図１に例示したゴルフクラブヘッドのフェース板の断面図。
【図３】本考案の実施例１のゴルフクラブヘッドのフェース板を示す斜視図。
【図４】図３に示したゴルフクラブヘッドのフェース板の断面図。
【図５】本考案のゴルフクラブヘッドのフェース板の条溝内における突起部の異なる形態例を示す側面図。
【図６】本考案のゴルフクラブヘッドのフェース板の条溝内における突起部の異なる形態例を示す側面図。
【図７】本考案のゴルフクラブヘッドのフェース板の条溝内における突起部の異なる形態例を示す側面図。
【図８】本考案のゴルフクラブヘッドのフェース板の条溝内における突起部の異なる形態例を示す側面図。
【図９】本考案のゴルフクラブヘッドのフェース板の条溝内における突起部の異なる形態例を示す側面図。
【図１０】本考案のゴルフクラブヘッドのフェース板の条溝内における突起部の異なる形態例を示す側面図。
【図１１】本考案の実施例２のゴルフクラブヘッドのフェース板を示す断面図。
【図１２】本考案の実施例３のゴルフクラブヘッドのフェース板を示す断面図。
【符号の説明】
【００１９】
２  ゴルフクラブヘッド
２１  ヘッド本体
２２  フェース板
２２１  板体
２２２  条溝
２２３  突起部
２２４  副条溝
【図１】
0003126901.tif 000003
【図２】
0003126901.tif 000004
【図３】
0003126901.tif 000005
【図４】
0003126901.tif 000006
【図５】
0003126901.tif 000007
【図６】
0003126901.tif 000008
【図７】
0003126901.tif 000009
【図８】
0003126901.tif 000010
【図９】
0003126901.tif 000011
【図１０】
0003126901.tif 000012
【図１１】
0003126901.tif 000013
【図１２】
0003126901.tif 000014